(57)【要約】【課題】ユーザにあまり負担をかけることなく、使用環境によるフリッカの発生を低減するとともに、消費電力の低減を図る。【解決手段】フレームレート設定制御部１２は、現在の位置がエリアＡであるのか、エリアＢであるのかを常に確認し（ステップＳ９，Ｓ１０）、現在の位置がエリアＡである場合（ステップＳ９でＹｅｓ）には、現在のフレームレートが６０Ｈｚであるか否かを確認し（ステップＳ１１）、現在のフレームレートが５０Ｈｚである場合には（ステップＳ１１でＮｏ）、フレームレートを６０Ｈｚに切り替える（ステップＳ１２）。一方、現在の位置がエリアＢである場合（ステップＳ１０でＹｅｓ）には、現在のフレームレートが５０Ｈｚであるか否かを確認し（ステップＳ１３）、フレームレートが６０Ｈｚである場合には（ステップＳ１３でＮｏ）、フレームレートを５０Ｈｚに切り替える（ステップＳ１４）。【選択図】図６
2009216900.tif 000002
【特許請求の範囲】
【請求項１】
複数の画素からなる液晶表示パネルと、
前記液晶表示パネルに表示する表示データを記憶する記憶手段と、
位置情報取得手段と、
前記位置情報取得手段によって得られる位置情報に応じてフレームレートを設定するフレームレート設定手段と、
前記記憶手段に記憶されている表示データを前記液晶表示パネルの画素に供給する制御部とを備え、
前記制御部は、前記フレームレート設定手段により設定されたフレームレートにて、前記記憶手段に記憶されているデータを前記液晶表示パネルの画素に供給することを特徴とする携帯端末。
【請求項２】
請求項１に記載の携帯端末において、
前記画素に供給するデータのフレームレートを、予め設定された所定レートとするのか、前記フレームレート設定手段により設定される設定レートとするのかのいずれかを選択する選択手段を備えたことを特徴とする携帯端末。
【請求項３】
請求項１に記載の携帯端末において、
フレームレートが複数のエリア情報ごとに設定されて記憶されているエリア情報テーブルを備え、
前記フレームレート設定手段は、前記位置情報取得手段によって得られる位置情報に基づき、前記エリア情報テーブルから対応するエリア情報を特定し、特定したエリア情報に設定されているフレームレートを前記画素に供給する表示データのフレームレートとして設定することを特徴とする携帯端末。
【請求項４】
フレームレートが複数のエリア情報ごとに設定されているエリア情報テーブルと位置情報取得手段とを用いて液晶表示パネルに表示する表示データのフレームレートを設定する携帯端末のフレームレート設定方法であって、
前記位置情報取得手段によって得られる位置情報に基づき、前記エリア情報テーブルから対応するエリア情報を特定するステップと、特定したエリア情報に設定されているフレームレートを前記液晶表示パネルに供給する表示データのフレームレートとして設定するステップとからなることを特徴とする携帯端末のフレームレート設定方法。
【発明の詳細な説明】
【技術分野】
【０００１】
本発明は、液晶表示パネルを備えた携帯端末に係り、より詳細には、液晶表示パネルに表示される表示データのフレームレートをより好適に制御することのできる携帯端末及び携帯端末のフレームレート設定方法に関する。
【背景技術】
【０００２】
一般に、蛍光灯のような照明器具は、原理上、一定の周期で光の強さが変化する。そして、この蛍光灯の発光の周波数と液晶表示パネルのフレームレート（以下、「フレーム周波数」ともいう。）の位相のズレがあまり大きくなると、液晶画面にちらつき（フリッカ）が発生する。このことから、液晶表示パネル（すなわち、液晶表示パネルを内蔵する各種電子機器）では、フレーム周波数を特定の範囲（すなわち、画面のちらつきが生じない範囲）に収まるように固定して設定されているのが一般的である。
【０００３】
一方、最近では、このような液晶画面のちらつきを改善するために、フレーム周波数を制御するような技術が提案されている（例えば、特許文献１〜５等参照）。
【０００４】
特許文献１には、液晶表示のちらつきを防ぐため、フレーム周波数を特定の範囲に収めるためにダミーサイクルを用いる液晶表示装置において、各走査電極の平均選択時間を増加させることで、液晶表示のコントラストを向上させる液晶表示装置が記載されている。
【０００５】
また、特許文献２には、動画像の種類に応じて最適なＣＰＵの動作クロックレートを決め、この動作クロックレートに従って動作するように制御する動画像再生端末装置が記載されている。
【０００６】
また、特許文献３には、低周波駆動の液晶表示装置において、液晶表示パネルの表面温度が高温になると生じるフリッカを防ぐために、液晶表示パネルに温度センサを取り付け、この温度センサにより検出した温度に応じて、出力される駆動信号を変調する液晶表示装置が記載されている。
【０００７】
また、特許文献４には、消費電力のほとんどを占めるデータイネーブル信号（ＤＥ）の周波数モードを、画像の状態に応じて設定することによって、電力消費を最少化することができる液晶表示装置が記載されている。
【０００８】
また、特許文献５には、周囲の明るさに応じて画像の階調数を変えることにより、広い範囲において視認性を確保できるとともに、表現する階調数を減らすことにより、駆動を行う場合の消費電力をより少なく抑えた表示装置が記載されている。
【特許文献１】特開２００１−２２８８３２号公報
【特許文献２】特開２００３−３１９３９０号公報
【特許文献３】特開２００５−９１３８５号公報
【特許文献４】特表２００６−５１２６０１号公報
【特許文献５】特表２００６−３５０３１０号公報
【発明の開示】
【発明が解決しようとする課題】
【０００９】
ところで、フレーム周波数を下げると、消費電力が抑えられるのは当然である。しかし、フレーム周波数を下げすぎると、その周期（強弱）が人の可視範囲に入ることから、画面のちらつき（フリッカ）は大きくなる。また、フレーム周波数を下げすぎることで、一般に言われる液晶焼けが生じる他、液晶表示装置そのものの品質上の課題も生じることとなる。
【００１０】
一方、蛍光灯のような照明器具のちらつき周期（光の強さの変化）は、上記したように、原理上、電源周波数と合致し、西日本が６０Ｈｚ、東日本が５０Ｈｚとなる。すなわち、フレーム周波数がほぼ同一周波数（例えば、５０Ｈｚ〜６０Ｈｚの範囲）でも、この電源周波数との差（ズレ）が大きければ大きいほど、ちらつきも大きくなる。
【００１１】
この場合、フレーム周波数が５０Ｈｚの液晶表示装置を６０Ｈｚの蛍光灯下で使用するより、フレーム周波数が６０Ｈｚの液晶表示装置を５０Ｈｚの蛍光灯下で使用する方が、ちらつきは生じにくい。また、一般的に、パーソナルコンピュータ（ＰＣ）用モニターのフレーム周波数は、電源周波数よりも高く設定することにより、画面のちらつきを解消している。
【００１２】
このような背景から、一般的に、携帯電話等に用いられる小型液晶表示装置のフレーム周波数は、例えば特許文献４にも記載されているように、６０Ｈｚの固定値となっている。
【００１３】
一方、携帯電話に代表される携帯端末は、モバイル利用を商品コンセプトの主体としている。すなわち、屋内（蛍光灯下）での使用であるのか、屋外（太陽光下）での使用であるのか、さらには屋内での使用の場合に、屋内の蛍光灯に供給される商用電源が５０Ｈｚ電源であるのか、６０Ｈｚ電源であるのかを利用者が意識することなく使用される商品である。
【００１４】
この場合、光源環境（５０Ｈｚ蛍光灯下、６０Ｈｚ蛍光灯下、太陽光下）に係わらず、液晶表示装置のフレーム周波数を商用電源６０Ｈｚの蛍光灯下に合わせて６０Ｈｚの固定とすることは、消費電力面で不利益が生じることになる。この不利益を解消する一つの方法として、携帯端末利用時の光源環境（５０Ｈｚ蛍光灯下、６０Ｈｚ蛍光灯下、太陽光下）を利用者にその都度設定させ、その設定に応じてフレーム周波数を設定するように構成することも可能であるが、そのようにすると、利用者の負担が多大なものになってしまうといった問題があった。
【００１５】
なお、このような光源環境（５０Ｈｚ蛍光灯下、６０Ｈｚ蛍光灯下、太陽光下）によるフリッカの問題や消費電力の問題については、上記特許文献１〜４のいずれにおいても解決されていない課題である。
【００１６】
本発明はかかる問題点を解決すべく創案されたもので、その目的は、ユーザにあまり負担をかけることなく、使用環境によるフリッカの発生を低減するとともに、消費電力の低減を図った携帯端末及び携帯端末のフレームレート設定方法を提供することにある。
【課題を解決するための手段】
【００１７】
上記課題を解決するため、本発明の携帯端末は、複数の画素からなる液晶表示パネルと、前記液晶表示パネルに表示する表示データを記憶する記憶手段と、位置情報取得手段と、前記位置情報取得手段によって得られる位置情報に応じてフレームレートを設定するフレームレート設定手段と、前記記憶手段に記憶されている表示データを前記液晶表示パネルの画素に供給する制御部とを備え、前記制御部は、前記フレームレート設定手段により設定されたフレームレートにて、前記記憶手段に記憶されているデータを前記液晶表示パネルの画素に供給することを特徴としている。
【００１８】
より具体的に説明すると、本発明の携帯端末は、フレームレートが複数のエリア情報ごとに設定されて記憶されているエリア情報テーブルをさらに備え、前記フレームレート設定手段は、前記位置情報取得手段によって得られる位置情報に基づき、前記エリア情報テーブルから対応するエリア情報を特定し、特定したエリア情報に設定されているフレームレートを前記画素に供給する表示データのフレームレートとして設定する構成としている。
【００１９】
フレームレート設定手段は、このエリア情報テーブルと位置情報取得手段とを用いて液晶表示パネルに表示する表示データのフレームレートを設定する。すなわち、位置情報取得手段によって得られる位置情報に基づき、エリア情報テーブルから対応するエリア情報を特定するステップと、特定したエリア情報に設定されているフレームレートを液晶表示パネルに供給する表示データのフレームレートとして設定するステップとを実行する。
【００２０】
ここで、エリア情報テーブルには、図４及び図５に示すように、複数のエリアとして、電源周波数が５０Ｈｚと６０Ｈｚの境界ライン（ラインＡ）を挟んで西側のエリア（エリアＡ）と、東側のエリア（エリアＢ）とに区分するとともに、境界ライン（ラインＡ）から東側のエリアＢに所望の距離幅の境界エリアＣを設定している。すなわち、エリアＢは、実質的には境界エリアＣの東側の境界ライン（ラインＢ）より以東のエリアに設定されている。このように、本発明では、エリアＡ（ラインＡより西側エリア）と境界エリアＣ（ラインＡとラインＢの間のエリア）とエリアＢ（ラインＢより東側のエリア）の３つのエリアに区分している。そして、エリアＡにはフレームレートとして６０Ｈｚを設定し、エリアＢには５０Ｈｚを設定している。また、境界エリアＣにはさらに詳細な条件が設定されており、本携帯端末のフレームレートが５０Ｈｚのときに、境界エリアＣからエリアＡ側にラインＡを超えたとき、フレームレートを６０Ｈｚに切り替え、本携帯端末のフレームレートが６０Ｈｚのときに、境界エリアＣからエリアＢ側にラインＢを超えたとき、フレームレートを５０Ｈｚに切り替えるようにフレームレートの切り替え条件が設定されている。
【００２１】
従って、フレームレート設定手段は、このエリア情報テーブルを用いて次のようにフレームレートを設定する。すなわち、位置情報取得手段によって得られる位置情報に基づき、現在位置がラインＡより以西（エリアＡ）である場合には、携帯端末のフレームレートを６０Ｈｚに設定し、現在位置がラインＢより以東（エリアＢ）である場合には、携帯端末のフレームレートを５０Ｈｚに設定する。また、フレームレートが５０Ｈｚのときに（すなわち、携帯端末の現在位置がエリアＢであるときに）、ラインＢを超えて境界エリアＣに入ったときはそのまま５０Ｈｚを維持し、境界エリアＣのラインＡを超えてエリアＡ側に入ったときに、フレームレートを６０Ｈｚに設定する（切り替える）。また、フレームレートが６０Ｈｚのときに（すなわち、携帯端末の現在位置がエリアＡであるときに）、ラインＡを超えて境界エリアＣに入ったときはそのまま６０Ｈｚを維持し、境界エリアＣのラインＢを超えてエリアＢ側に入ったときに、フレームレートを５０Ｈｚに設定する（切り替える）。
【００２２】
なお、本発明では、画素に供給するデータのフレームレートを、予め設定された所定レートとするのか、上記したように、位置情報取得手段によって得られる位置情報に応じてフレームレート設定手段により設定される設定レートとするのかのいずれかを選択する選択手段をさらに備えた構成としてもよい。ここで、予め設定された所定レートとは、本発明では、屋外（太陽光下）に対応した３０Ｈｚとしている。このように、フレームレートを屋外に対応した３０Ｈｚの固定とするのか、フレームレート設定手段による切り替え制御とするのかを、利用者であるユーザに選択させることで、屋外と屋内でそれぞれ最適なレートを設定することが可能となり、より使用環境に則したフレームレートの設定が可能となる。
【発明の効果】
【００２３】
本発明は上記のように構成したので、携帯端末の使用環境に応じて、液晶表示のフリッカを低減できるとともに、消費電力も抑制することができる。
【発明を実施するための最良の形態】
【００２４】
以下、本発明の実施の形態について、図面を参照して説明する。
【００２５】
図２は、液晶表示パネル１の詳細図である。液晶表示パネル１は、それぞれが平行に配置された複数の走査電極１５，１５，・・・及び複数のデータ電極１３，１３，・・・を直交するように配置して構成されている。各ドット（画素）は、各走査電極１５と各データ電極１３とのそれぞれの交点に位置する液晶表示セルによって構成されており、各ドットがマトリクス状に配置されている。ドットの表示は、走査電極１５の１つを時分割で順次選択するとともに、表示データに応じて各データ電極１３を駆動し、選択された走査電極１５とデータ電極１３との各交点における両電極の電位差により、液晶表示セルを光透過状態あるいは光遮断状態にすることで行われる。
【００２６】
図１は、本発明の携帯端末に搭載されている液晶表示制御装置の要部を示すブロック図である。
【００２７】
この液晶表示装置は、上記構成の液晶表示パネル１、データ電極駆動装置２、走査電極駆動装置３、液晶表示パネル１の表示データを記憶する表示用ＲＡＭ５、データ電極駆動装置２と走査電極駆動装置３及び表示用ＲＡＭ５とを制御する表示コントローラ７、表示制御部１１、フレームレート設定制御部１２、センサ部１３、入力操作部１４で構成されている。
【００２８】
液晶表示パネル１は、データ電極１３にデータ電極駆動装置２より駆動電圧を入力し、走査電極１５に走査電極駆動装置３より駆動電圧を入力することで駆動される。
【００２９】
データ電極駆動装置２は、表示コントローラ７から出力されるデータ電極選択信号１０とフレーム信号１１との値に基づいて、液晶表示パネル１の各データ電極１３に液晶駆動電圧を出力する。
【００３０】
走査電極駆動装置３は、表示コントローラ７から出力される走査電極選択信号１４とフレーム信号１１の値に基づいて、液晶表示パネル１の各走査電極１５に液晶駆動電圧を出力する。
【００３１】
表示用ＲＡＭ５は、表示制御部１１からの表示用ＲＡＭ制御信号１６に基づいて表示データの書き込み及び読み出しを行うとともに、表示コントローラ７からの表示データ読み出し制御信号１８に基づいて表示データの読み出しを行う。さらに、表示用ＲＡＭ５は、表示制御部１１及び表示コントローラ７から同時に制御された場合でも、それぞれ表示用ＲＡＭ制御信号１６と表示データ読み出し制御信号１８に基づいて、同時に動作できる。
【００３２】
表示制御部１１は、図示しないＣＰＵ、ＲＯＭ、ＲＡＭ等から構成されており、ＲＯＭにはＣＰＵの動作を記述した制御プログラム等が格納されている。また、ＲＡＭは、ＣＰＵの動作時にＲＯＭに格納されている制御プログラムを読み出して展開し実行するためのワークエリアとして用いられる。表示制御部１１は、図示しない携帯端末の上位アプリケーションからの指示に従い、表示用ＲＡＭ制御信号１６に基づいて、表示用ＲＡＭ５への表示データの書き込みを行う。
【００３３】
表示コントローラ７は、データ電極選択信号１０をデータ電極駆動装置２へ、フレーム信号１１をデータ電極駆動装置２及び走査電極駆動装置３へ、走査電極選択信号１４を走査電極駆動装置３へそれぞれ出力する。また、表示コントローラ７は、表示データ読み出し制御信号１８に基づいて表示用ＲＡＭ５から表示データの読み出しを行う。
【００３４】
センサ部１３は、地球の周囲を周回する図示しないＧＰＳ衛星との通信によって現在位置情報を取得するＧＰＳ受信部１３ａを備えている。
【００３５】
フレームレート設定制御部１２は、ＧＰＳ受信部１３ａによって得られる位置情報に基づいてフレーム信号１１のフレームレートを決定し、フレームレート設定信号２１を表示コントローラ７に出力する。また、フレームレート設定制御部１２は、フレーム信号１１のフレームレートを設定するためのエリア情報テーブル１２ａ（これについては後述する）を備えている。
【００３６】
表示コントローラ７は、フレームレート設定制御部１２からのフレームレート設定信号２１によってフレーム信号１１のフレームレートを設定し、その設定したフレームレートのフレーム信号１１をデータ電極駆動装置２及び走査電極駆動装置３に入力する。これにより、設定されたフレームレートにて、表示用ＲＡＭ５に記憶されている表示データを液晶表示パネル１の画素に供給する。なお、ここで言うフレームレート（フレーム周波数）とは、単位時間あたり液晶表示パネル１の画面が何度更新されるかを表す指標であり、具体的には、垂直同期信号の周期のことである。
【００３７】
入力操作部１４は、液晶表示パネル１の画素に供給する表示データのフレームレートを、予め設定された所定レートとするのか、ＧＰＳ受信部１３ａによって得られる位置情報に応じて設定される設定レートとするのかのいずれかを選択する選択ボタン１４ａを備えている。この選択ボタン１４ａは、具体的には携帯端末の使用場所が室内であるのか室外であるのかをユーザに選択切り替えさせるための内／外切り替えボタンである。
【００３８】
図３は、本発明の携帯端末の一実施形態である携帯電話の外観図である。この携帯端末は、筐体３１の上部が液晶表示パネル１の配置された表示部３２となっており、下部がテンキー等の入力ボタン１４ｂや電源ボタン１４ｃ、及び内／外切り替えボタン（選択ボタン）１４ａを備えた入力操作部１４となっている。
【００３９】
図４は、エリア情報テーブル１２ａの構成例を示している。また、図５は、このエリア情報テーブル１２ａに登録される複数エリアの区分例を示している。
【００４０】
図５に示すように、本実施形態では、日本全国を３つのエリアに区分している。すなわち、電源周波数が５０Ｈｚと６０Ｈｚの境界ライン（ラインＡ）を挟んで西側のエリア（エリアＡ）と、東側のエリア（エリアＢ）とに区分するとともに、境界ライン（ラインＡ）から東側のエリアＢに所望の距離幅の境界エリアＣを設定している。すなわち、エリアＢは、実質的には境界エリアＣの東側の境界ライン（ラインＢ）より以東のエリアに設定されている。このように、本実施形態では、日本全国をエリアＡ（ラインＡより西側エリア）と境界エリアＣ（ラインＡとラインＢの間のエリア）とエリアＢ（ラインＢより東側のエリア）の３つのエリアに区分している。ここで境界エリアＣの距離幅は、数キロメートルから十数キロメートル程度であるが、このような具体的な距離ではなく、場合によっては市町村単位の距離幅であってもよい。
【００４１】
エリア情報テーブル１２ａは、図４に示すように、エリア名、位置情報、フレームレートの各項目からなり、エリア名の項目欄には、上記したエリア区分に対応したエリア名が登録され、位置情報の項目欄には、このエリア区分に対応した位置情報が登録されている。また、フレームレートの項目欄には、エリアＡにフレームレートとして６０Ｈｚが設定され、エリアＢに５０Ｈｚが設定されている。また、境界エリアＣにはさらに詳細な条件が設定されており、本携帯端末のフレームレートが５０Ｈｚのときに、境界エリアＣからエリアＡ側に向かってラインＡを超えたとき、フレームレートを６０Ｈｚに切り替え、本携帯端末のフレームレートが６０Ｈｚのときに、境界エリアＣからエリアＢ側に向かってラインＢを超えたとき、フレームレートを５０Ｈｚに切り替えるようにフレームレートの切り替え条件が設定されている。
【００４２】
フレームレート設定制御部１２は、このエリア情報テーブル１２ａとＧＰＳ受信部１３ａによって得られる位置情報とに基づいてフレームレートを設定する。
【００４３】
次に、図６に示すフローチャートを参照して、フレームレート設定制御部１２によるフレームレート設定制御処理について説明する。
【００４４】
電源ボタン１４ｃが操作されると、フレームレート設定制御部１２は、まず、システム起動時の制御動作を開始する。すなわち、電源オン状態において、内／外切り替えボタン１４ａの操作状態を確認する（ステップＳ１）。そして、内／外切り替えボタン１４ａがオンされており、屋外に設定されている場合（ステップＳ１でＹｅｓと判断された場合）には、本携帯端末が基本的に太陽光下で使用される屋外使用であると判断し、フレームレートとして３０Ｈｚを指示するフレームレート設定信号２１を表示コントローラ７に出力する（ステップＳ２）。これにより、表示コントローラ７は、フレームレート設定制御部１２からのフレームレート設定信号２１によってフレーム信号１１のフレームレートを３０Ｈｚに設定し、その設定したフレームレートのフレーム信号１１をデータ電極駆動装置２及び走査電極駆動装置３に入力する。これにより、設定されたフレームレート（３０Ｈｚ）にて、表示用ＲＡＭ５に記憶されている表示データが液晶表示パネル１の画素に供給される。
【００４５】
一方、操作状態を確認した結果、内／外切り替えボタン１４ａがオフされており、屋内に設定されている場合（ステップＳ１でＮｏと判断された場合）には、本携帯端末が屋内の蛍光灯下で使用されていると判断し、この場合には、ＧＰＳ受信部１３ａによりＧＰＳ衛星から位置情報を取得する（ステップＳ３）。そして、この位置情報に基づき、エリア情報テーブル１２ａを参照して、現在位置がラインＢより以東（エリアＢ）であるか否かを判断する（ステップＳ４）。
【００４６】
その結果、現在位置がラインＢより以東（エリアＢ）であった場合（ステップＳ４でＹｅｓと判断された場合）には、エリア情報テーブル１２ａの登録内容に基づき、本携帯端末のフレームレートとして５０Ｈｚを指示するフレームレート設定信号２１を表示コントローラ７に出力する（ステップＳ５）。これにより、表示コントローラ７は、フレームレート設定制御部１２からのフレームレート設定信号２１によってフレーム信号１１のフレームレートを５０Ｈｚに設定し、その設定したフレームレートのフレーム信号１１をデータ電極駆動装置２及び走査電極駆動装置３に入力する。これにより、設定されたフレームレート（５０Ｈｚ）にて、表示用ＲＡＭ５に記憶されている表示データが液晶表示パネル１の画素に供給される。
【００４７】
一方、現在位置がラインＢより以西（境界エリアＣ及びエリアＡ）であった場合（ステップＳ４でＮｏと判断された場合）には、エリア情報テーブル１２ａの登録内容に基づき、本携帯端末のフレームレートとして６０Ｈｚを指示するフレームレート設定信号２１を表示コントローラ７に出力する（ステップＳ６）。これにより、表示コントローラ７は、フレームレート設定制御部１２からのフレームレート設定信号２１によってフレーム信号１１のフレームレートを６０Ｈｚに設定し、その設定したフレームレートのフレーム信号１１をデータ電極駆動装置２及び走査電極駆動装置３に入力する。これにより、設定されたフレームレート（６０Ｈｚ）にて、表示用ＲＡＭ５に記憶されている表示データが液晶表示パネル１の画素に供給される。
【００４８】
以上がシステム起動時の処理動作である。
【００４９】
この後、フレームレート設定制御部１２は、内／外切り替えボタン１４ａが操作されたか否かを常に監視するとともに（ステップＳ７）、ＧＰＳ受信部１３ａによりＧＰＳ衛星から位置情報を予め設定されている一定時間ごと（例えば１分ごと等）に取得し（ステップＳ８）、この取得した位置情報に基づいてエリア情報テーブル１２ａを参照して、現在の位置がエリアＡであるのか（ステップＳ９）、エリアＢであるのか（ステップＳ１０）を常に判断する。
【００５０】
その結果、現在の位置がエリアＡである場合（ステップＳ９でＹｅｓと判断された場合）には、現在のフレームレートが６０Ｈｚであるか否かを確認する（ステップＳ１１）。その結果、６０Ｈｚである場合（すなわち、元々エリアＡに居る場合）には（ステップＳ１１でＹｅｓと判断された場合）、そのまま６０Ｈｚを維持してステップＳ７に戻る。一方、現在のフレームレートが５０Ｈｚである場合（すなわち、エリアＢから境界エリアＣを経てエリアＡに入った場合）には（ステップＳ１１でＮｏと判断された場合）、その時点でフレームレートを５０Ｈｚから６０Ｈｚに切り替える（ステップＳ１２）。すなわち、フレーム設定制御部１２は、フレームレートとして６０Ｈｚを指示するフレームレート設定信号２１を表示コントローラ７に出力する。これにより、表示コントローラ７は、フレームレート設定制御部１２からのフレームレート設定信号２１によってフレーム信号１１のフレームレートを５０Ｈｚから６０Ｈｚに切り替えて設定し、その設定したフレームレートのフレーム信号１１をデータ電極駆動装置２及び走査電極駆動装置３に入力する。これにより、設定されたフレームレート（６０Ｈｚ）にて、表示用ＲＡＭ５に記憶されている表示データが液晶表示パネル１の画素に供給される。この後、ステップＳ７に戻って処理を継続する。
【００５１】
一方、現在の位置がエリアＡでないと判断された場合（ステップＳ９でＮｏと判断された場合）には、ステップＳ１０において現在の位置がエリアＢであるか否かを判断し、現在の位置がエリアＢである場合（ステップＳ１０でＹｅｓと判断された場合）には、現在のフレームレートが５０Ｈｚであるか否かを確認する（ステップＳ１３）。その結果、５０Ｈｚである場合（すなわち、元々エリアＢに居る場合）には（ステップＳ１３でＹｅｓと判断された場合）、そのまま５０Ｈｚを維持してステップＳ７に戻る。一方、現在のフレームレートが６０Ｈｚである場合（すなわち、エリアＡから境界エリアＣを経てエリアＢに入った場合）には（ステップＳ１３でＮｏと判断された場合）、その時点でフレームレートを６０Ｈｚから５０Ｈｚに切り替える（ステップＳ１４）。すなわち、フレーム設定制御部１２は、フレームレートとして５０Ｈｚを指示するフレームレート設定信号２１を表示コントローラ７に出力する。これにより、表示コントローラ７は、フレームレート設定制御部１２からのフレームレート設定信号２１によってフレーム信号１１のフレームレートを６０Ｈｚから５０Ｈｚに切り替えて設定し、その設定したフレームレートのフレーム信号１１をデータ電極駆動装置２及び走査電極駆動装置３に入力する。これにより、設定されたフレームレート（５０Ｈｚ）にて、表示用ＲＡＭ５に記憶されている表示データが液晶表示パネル１の画素に供給される。この後、ステップＳ７に戻って処理を継続する。
【００５２】
また、現在の位置がエリアＡでもエリアＢでも無い場合（ステップＳ９でＮｏ，ステップＳ１０でＮｏと判断された場合）は境界エリアＣに居るので、この場合はそのままのフレームレートを維持してステップＳ７に戻る。
【００５３】
すなわち、本実施形態では、フレームレートが５０Ｈｚのときに（すなわち、携帯端末の現在位置がエリアＢであるときに）、ラインＢを超えて境界エリアＣに入ったときはそのまま５０Ｈｚを維持し、境界エリアＣのラインＡを超えてエリアＡ側に入ったときに、フレームレートを６０Ｈｚに切り替える。また、フレームレートが６０Ｈｚのときに（すなわち、携帯端末の現在位置がエリアＡであるときに）、ラインＡを超えて境界エリアＣに入ったときはそのまま６０Ｈｚを維持し、境界エリアＣのラインＢを超えてエリアＢ側に入ったときに、フレームレートを５０Ｈｚに切り替えるようになっている。
【００５４】
なお、このようなステップＳ７〜ステップＳ１４の処理制御において、ユーザが内／外切り替えボタン１４ａをオン操作した場合（ステップＳ７でＹｅｓと判断された場合）には、フレームレート設定制御部１２はＧＰＳの位置情報に基づくエリア判定を中止し、フレームレートとして３０Ｈｚを指示するフレームレート設定信号２１を表示コントローラ７に出力する（ステップＳ２）。これにより、表示コントローラ７は、フレームレート設定制御部１２からのフレームレート設定信号２１によってフレーム信号１１のフレームレートを３０Ｈｚに設定し、その設定したフレームレートのフレーム信号１１をデータ電極駆動装置２及び走査電極駆動装置３に入力する。これにより、設定されたフレームレート（３０Ｈｚ）にて、表示用ＲＡＭ５に記憶されている表示データが液晶表示パネル１の画素に供給される。
【図面の簡単な説明】
【００５５】
【図１】本発明の携帯端末に搭載されている液晶表示制御装置の要部を示すブロック図である。
【図２】液晶表示パネルの詳細図である。
【図３】本発明の携帯端末の一実施形態である携帯電話の外観図である。
【図４】エリア情報テーブルの構成例を示す説明図である。
【図５】エリア情報テーブルに登録される複数エリアの区分例を示す説明図である。
【図６】フレームレート設定制御部によるフレームレート設定制御処理を説明するためのフローチャートである。
【符号の説明】
【００５６】
１  液晶表示パネル
２  データ電極駆動装置
３  走査電極駆動装置
５  表示用ＲＡＭ
７  表示コントローラ
１１  表示制御部
１２  フレームレート設定制御部
１３  センサ部
１３ａ  ＧＰＳ受信部
１４  入力操作部
１４ａ  内／外切り替えボタン
１４ｂ  入力ボタン
１４ｃ  電源ボタン
３１  筐体
３２  表示部
【図１】
2009216900.tif 000003
【図２】
2009216900.tif 000004
【図３】
2009216900.tif 000005
【図４】
2009216900.tif 000006
【図５】
2009216900.tif 000007
【図６】
2009216900.tif 000008